(57)【特許請求の範囲】
【請求項１】
原水を、前処理システム及び一次純水システムによって処理して得られる一次純水を貯留する一次純水タンクの下流側に設置された超純水製造システムであって、
紫外線酸化装置と、混床式イオン交換樹脂装置と、
前記紫外線酸化装置及び前記混床式イオン交換樹脂装置が介装されて、前記一次純水を通流させ、かつ、製造された超純水をユースポイントに送る処理配管と、
前記ユースポイントで使用されなかった超純水を前記一次純水タンクに還流させる還流配管と
を備える超純水製造システムにおいて、
前記超純水製造システムの前記処理配管の任意の個所に、カタラーゼ担持樹脂を容器内に充填したカタラーゼ担持樹脂装置と溶存酸素計を備えて、超純水中の過酸化水素濃度を検出する過酸化水素測定装置が接続されたことを特徴とする超純水製造システム。
【請求項２】
前記カタラーゼ担持樹脂は、カタラーゼが陰イオン交換樹脂に担持されてなることを特徴とする請求項１記載の超純水製造システム。
【請求項３】
前記カタラーゼ担持樹脂における、単位樹脂量あたりのカタラーゼ活性(力価)は、１００００〜５０００００ｕ／ｍＬであることを特徴とする請求項１又は２記載の超純水製造システム。
【請求項４】
前記溶存酸素計の溶存酸素濃度の測定下限値は１０μｇ／Ｌ以下であることを特徴とする請求項１乃至３のいずれか１項記載の超純水製造システム。
【請求項５】
前記溶存酸素計は、隔膜式の溶存酸素計であることを特徴とする請求項１乃至４のいずれか１項記載の超純水製造システム。
【請求項６】
前記陰イオン交換樹脂は、３級アミノ基をイオン交換基として有することを特徴とする請求項２乃至５のいずれか１項記載の超純水製造システム。
【請求項７】
前記陰イオン交換樹脂はマクロポーラス型であることを特徴とする請求項２乃至６のいずれか１項記載の超純水製造システム。
【請求項８】
さらに、前記過酸化水素測定装置の測定結果に基づいて、前記紫外線酸化装置の照射する紫外線照射量を制御する紫外線照射量制御装置を備えることを特徴とする請求項１乃至７のいずれか１項記載の超純水製造システム。
【請求項９】
原水を、前処理システム及び一次純水システムによって処理して得られる一次純水を、紫外線酸化装置と混床式イオン交換樹脂装置とで処理して超純水を製造する超純水製造方法において、
前記紫外線酸化装置及び混床式イオン交換樹脂装置の少なくとも一方で処理された一次純水の一部を採水し、
前記採水された一次純水をカタラーゼ担持樹脂を容器内に充填したカタラーゼ担持樹脂装置に接触させて前記一次純水中に発生する溶存酸素濃度を測定し、
前記測定された溶存酸素濃度を基に、前記採水された一次純水中の過酸化水素濃度を検出し、
検出された過酸化水素濃度に基いて前記紫外線酸化装置の紫外線照射量を制御することを特徴とする超純水製造方法。
【発明の詳細な説明】
【技術分野】
【０００１】
本発明は、超純水製造システム及び超純水製造方法に関する。
【背景技術】
【０００２】
従来、半導体製造工程等に使用される超純水は、超純水製造システムによって製造されている。一般に、超純水製造システムでは次のようにして超純水が製造される。原水を前処理システムと一次純水システムによって処理し、これにより得られる一次純水を、一次純水タンクに貯溜する。貯留された一次純水は、二次純水システムに供給され、ここで処理されることでさらに高純度化され、超純水が製造される。こうして製造された超純水は、ユースポイント（ＰＯＵ）に供給される。
【０００３】
通常、超純水製造システムに備えられる一次純水システム及び二次純水システムには、それぞれ、全有機炭素（ＴＯＣ）成分及びイオン性の不純物を低減することを目的として、水中の有機物を酸化分解する紫外線酸化装置と、水中のイオン成分を除去する混床式イオン交換樹脂装置が設置される。混床式イオン交換樹脂装置には、陰イオン交換樹脂及び陽イオン交換樹脂が混合された混床式イオン交換樹脂が備えられている。
【０００４】
また、ユ−スポイントで使用された使用済みの超純水を回収した回収水を、再度、超純水製造のための原水として使用することも行われている。回収水は活性炭吸着装置等を備えた回収システムにより処理されて、過酸化水素、フッ化水素等の、ユースポイントで超純水に混入された薬品が除去あるいは分解された後、前処理システムや一次純水システムに返送される。
【０００５】
ここで、超純水中に過酸化水素が含まれると、過酸化水素の分解により酸素が生成し、超純水中の溶存酸素（ＤＯ）濃度が上昇する。超純水中にＤＯが存在すると、これを半導体製造工程のウェハ洗浄水として用いた場合、シリコンウェハ表面に酸化膜を生じさせるなどの弊害を起こすおそれがある。そのため、超純水中の過酸化水素濃度を低減することが求められる。例えば、回収水中に酸化剤として混入した過酸化水素が、回収システムで除去されずに残留したり、紫外線酸化装置における過剰の紫外線照射により発生したりして、過酸化水素が一次純水に混入することがある。
【０００６】
このため、過剰の紫外線照射による過酸化水素の発生を抑えることが行われている（例えば、特許文献１参照。）。また、超純水中の過酸化水素濃度をヨウ素電極滴定法によって測定し、過酸化水素を含む超純水を下流側へ通水させないようにした超純水製造システムが知られている（例えば、特許文献２参照。）。
【０００７】
また、紫外線酸化装置の被処理水中の過酸化水素濃度を、白金族金属が担持された触媒金属担持体と溶存酸素計からなる過酸化水素濃度測定装置によって測定し、測定値に応じて紫外線酸化装置における紫外線照射量を制御して、過酸化水素の発生を抑制する超純水製造システムが知られている（例えば、特許文献３参照。）。この過酸化水素濃度測定装置は、サンプル水中の過酸化水素を触媒金属担持体によって分解し、これにより生じる酸素の濃度を溶存酸素計によって測定して、サンプル水中の過酸化水素濃度の測定を行うものである。
【０００８】
一方、超純水中の過酸化水素濃度を低減するために、過酸化水素除去装置として、架橋カタラーゼ固定化繊維を使用した超純水製造システムが提案されている（例えば、特許文献４参照。）。また、シリカ、チタニア等の粒状物や、セルロース、キトサン、ポリスチレン系の多孔性粒子に固定化したカタラーゼを用いて水系液体中の過酸化水素を分解処理する場合、数週間から数カ月、場合によっては１年以上使用可能であることが示唆されている（例えば、特許文献５参照。）
【先行技術文献】
【特許文献】
【０００９】
【特許文献１】特開２００９−１１２９４１号
【特許文献２】特許４２１９６６４号明細書
【特許文献３】特開２０１２−６１４４３号
【特許文献４】特開２０１３−２３７９４４号
【特許文献５】特開平８−８９９３８号
【発明の概要】
【発明が解決しようとする課題】
【００１０】
しかしながら、ヨウ素電極滴定法では、サンプル水中の過酸化水素にヨウ化カリウムを加え、これらが反応して生じるヨウ素の滴定を行う逆滴定であること、過酸化水素を含まない水を用いたブランク測定が必要であること、バッチでの測定であるために測定セルからの既測定水の廃水、測定セルの洗浄の工程が必要であること、さらに、ヨウ化カリウムと過酸化水素の反応には、３分以上程度要することなどのため、過酸化水素濃度の測定に３０分程度かかる。
【００１１】
そのため、ヨウ素電極滴定法による過酸化水素濃度測定装置を用いて紫外線酸化装置の紫外線照射量の調整や、過酸化水素を含む超純水の下流側への通水停止、過酸化水素の低減された超純水の下流側への通水再開を繰り返し行って水質の管理された超純水の製造を行う場合、過酸化水素濃度の急激な変動に対応できないという課題があった。
【００１２】
また、ヨウ素電極滴定法では、還元剤(チオ硫酸ナトリウム)が使用されるが、この還元剤は比較的反応性が高いため長期の保存が難しく、定期的な交換が必要であるため、メンテナンスの頻度が高くなるという課題があった。
【００１３】
また、ヨウ素電極摘定法は、酸化還元反応を利用した滴定であるため、サンプル水中に酸化性物質や還元性物質が存在する場合、これらとヨウ素が反応してしまい、過酸化水素濃度の測定精度を下げてしまう。ここで、紫外線酸化装置の処理水中には、ＴＯＣ成分が分解されることで発生する有機酸と炭酸が含まれており、これらの有機酸の中には、シュウ酸などの還元性物質が含まれることがある。そのため、ヨウ素電極滴定法による過酸化水素濃度測定装置を用いて紫外線酸化装置の処理水中の過酸化水素濃度を測定しようとする場合、この還元性物質の存在によって過酸化水素濃度の測定精度が下がるという問題があった。
【００１４】
また、一般的に、陰イオン交換樹脂の官能基が脱離することで、トリメチルアミンが溶出することが知られている。そのため、紫外線酸化装置の上流側に、陰イオン交換樹脂を用いた装置が備えられる超純水製造システムにおいては、紫外線酸化装置の処理水中にトリメチルアミンが残留することがある。このような超純水製造システムにおいて、紫外線酸化装置の処理水中の過酸化水素濃度の測定を、ヨウ素電極滴定法による過酸化水素濃度測定装置を用いて行う場合、このトリメチルアミンがヨウ素と反応して、過酸化水素濃度の測定精度を下げるという問題があった。
【００１５】
また、白金族金属が担持された触媒金属担持体と溶存酸素計からなる過酸化水素濃度測定装置では、紫外線酸化装置の処理水中の過酸化水素濃度を正確に測定することができない。これは、次のような理由による。紫外線酸化装置の処理水中には、過酸化水素とともに、紫外線の照射により水中に発生した微量の水素が含有されることがある。したがって、紫外線酸化装置の処理水を触媒金属担持体に接触させると、触媒金属担持体の作用により、過酸化水素が分解して酸素になるだけでなく、発生した酸素が水素と反応して水になるため、サンプル水中の過酸化水素の量と、触媒金属担持体において発生する酸素の量とが対応しないためである。
【００１６】
以上のように、超純水中の過酸化水素濃度を長期間安定して、かつ応答性よく監視することが困難であり、高度に水質管理のなされた超純水の製造が難しいという課題があった。
【００１７】
一方、カタラーゼは上記したように、粒状物などに固定化されて水中の過酸化水素の除去に使用されていたものの、酵素の性質上、温度や水質による代謝や活性の変動の可能性が高く、極めて高度の精密性や安定性が求められる超純水の水質の管理に適用した場合の定量性や安定性の確保に対する懸念があった。
【００１８】
本発明は、上記した課題を解決するためになされたものであって、定量性、安定性に優れ、測定性能が長期間維持された過酸化水素測定装置を備え、溶存酸素濃度の著しく低減された超純水を、長期間安定して得ることのできる超純水製造システム及び超純水製造方法を提供することを目的とする。
【課題を解決するための手段】
【００１９】
本発明の超純水製造システムは、原水を、前処理システム及び一次純水システムによって処理して得られる一次純水を貯留する一次純水タンクの下流側に設置された超純水製造システムであって、紫外線酸化装置と、混床式イオン交換樹脂装置と、前記紫外線酸化装置及び前記混床式イオン交換樹脂装置が介装されて、前記一次純水を通流させ、かつ、製造された超純水をユースポイントに送る処理配管と、前記ユースポイントで使用されなかった超純水を前記一次純水タンクに還流させる還流配管とを備える超純水製造システムにおいて、
前記超純水製造システムの前記処理配管の任意の個所に、カタラーゼ担持樹脂と溶存酸素計を備えて、超純水中の過酸化水素濃度を検出する過酸化水素測定装置が接続されたことを特徴とする。
【００２０】
本発明の超純水製造システムにおいて、カタラーゼ担持樹脂は、カタラーゼが陰イオン交換樹脂に担持されてなることが好ましい。また、カタラーゼ担持樹脂における、単位樹脂量あたりのカタラーゼ活性(力価)は、１００００〜５０００００ｕ／ｍＬであることが好ましい。
【００２１】
本発明の超純水製造システムにおいて、溶存酸素計の溶存酸素濃度の測定下限値は１０μｇ／Ｌ以下であることが好ましい。また、溶存酸素計は、隔膜式の溶存酸素計であることが好ましい。
【００２２】
本発明の超純水製造システムにおいて、陰イオン交換樹脂は、３級アミノ基をイオン交換基として有することが好ましい。また、陰イオン交換樹脂は、マクロポーラス型であることが好ましい。
【００２３】
本発明の超純水製造システムは、さらに、前記過酸化水素測定装置の測定結果に基づいて、前記紫外線酸化装置の照射する紫外線照射量を制御する紫外線照射量制御装置を備えることが好ましい。
【００２４】
本発明の超純水製造方法は、原水を、前処理システム及び一次純水システムによって処理して得られる一次純水を、紫外線酸化装置と混床式イオン交換樹脂装置とで処理して超純水を製造する超純水製造方法において、
前記紫外線酸化装置及び混床式イオン交換樹脂装置の少なくとも一方で処理された一次純水の一部を採水し、前記採水された一次純水をカタラーゼ担持樹脂に接触させて前記一次純水中に発生する溶存酸素濃度を測定し、前記測定された溶存酸素濃度を基に、前記採水された一次純水中の過酸化水素濃度を検出し、検出された過酸化水素濃度に基いて前記紫外線酸化装置の紫外線照射量を制御することを特徴とする。
【発明の効果】
【００２５】
本発明の超純水製造システム又は超純水製造方法によれば、定量性、安定性に優れ、測定性能が長期間維持された過酸化水素測定装置を備え、溶存酸素濃度の著しく低減された超純水を、長期間安定して得ることができる。
【図面の簡単な説明】
【００２６】
【図１】第１の実施形態に係る超純水製造システムを概略的に表わすブロック図である。
【図２】実施例におけるカタラーゼ担持樹脂の製造方法を説明するための装置を概略的に示したブロック図である。
【図３】実施例で使用した超純水製造システムを概略的に表わすブロック図である。
【図４】実施例の過酸化水素濃度計の定量性試験の結果を示すグラフである。
【図５】実施例の過酸化水素濃度計の安定性試験の結果を示すグラフである。
【図６】実施例の過酸化水素濃度計のライフの測定結果を示すグラフである。
【発明を実施するための形態】
【００２７】
以下、図面を参照して、本発明の実施形態を詳細に説明する。
【００２８】
図１は、本発明の超純水製造システムの一実施形態である超純水製造システム１０を概略的に示すブロック図である。図１に示す超純水製造システム１０は、一次純水システムで製造された一次純水を貯留する一次純水タンク（ＴＫ）１１の後段に接続されている。
【００２９】
超純水製造システム１０は、ＴＯＣ成分を酸化分解する紫外線酸化装置（ＴＯＣ−ＵＶ）２と、紫外線酸化装置２でＴＯＣ成分が分解されて生じるイオン成分を除去する混床式イオン交換樹脂装置（ＭＢ）３と、混床式イオン交換樹脂装置３の処理水中の微粒子を除去する限外ろ過膜装置（ＵＦ）４とを備えている。限外ろ過膜装置４で処理された超純水はユースポイント５に供給される。また、超純水製造システム１０は、ユースポイント５で使用されない超純水を一次純水タンク１１に循環させる還流配管１２を備えている。
【００３０】
なお、ここで示した超純水製造システム１０は、一次純水を処理して超純水を製造する装置であり、いわゆる二次純水製造装置又はサブシステムと称されるものである。
【００３１】
超純水製造システム１０は、さらに、紫外線酸化装置２の処理水中の過酸化水素濃度を測定する過酸化水素測定装置６を備えている。過酸化水素測定装置６は紫外線酸化装置２の出水配管に分岐して接続されている。なお、過酸化水素測定装置６の設置箇所はこれに限定されず、超純水製造システム１０の任意の箇所に接続することができる。
【００３２】
過酸化水素測定装置６は、カタラーゼの担持されたカタラーゼ担持樹脂を容器内に充填したカタラーゼ担持樹脂装置７と、溶存酸素計（ＤＯ計）８により構成される。過酸化水素測定装置６は、紫外線酸化装置２の処理水からサンプリングされたサンプル水をカタラーゼ担持樹脂に通水して、サンプル水中に含まれる過酸化水素を酸素と水に分解し、これにより生じた酸素の量を溶存酸素計８で測定する。溶存酸素計８で測定された溶存酸素濃度を基に、過酸化水素の２モルが分解すると１モルの酸素が生成することを利用して、サンプル水中の過酸化水素濃度を測定する。
【００３３】
カタラーゼ担持樹脂装置７に用いられるカタラーゼ担持樹脂としては、カタラーゼをイオン交換樹脂に担持させたものを用いることができる。
【００３４】
イオン交換樹脂としては、陽イオン交換樹脂及び陰イオン交換樹脂があるが、陽イオン交換樹脂の表面は強酸性になっており、カタラーゼが失活するおそれがある。そのため、カタラーゼ担持樹脂装置７に用いられるイオン交換樹脂としては、カタラーゼの活性を維持する点で、陰イオン交換樹脂を用いることが好ましい。イオン交換樹脂としては、１種を単独で用いてもよく、２種以上を併用してもよい。
【００３５】
カタラーゼ担持樹脂装置７に用いられるイオン交換樹脂のイオン交換容量は、特に制限はないが、０．８ｍｅｑ／ｍＬ以上１．８ｍｅｑ／ｍＬ以下であることが好ましい。イオン交換容量が０．８ｍｅｑ／ｍＬ以上であることで、カタラーゼを安定的に担持することができる。
【００３６】
また、カタラーゼ担持樹脂装置７に用いられる陰イオン交換樹脂として、強塩基性陰イオン交換樹脂、弱塩基性陰イオン交換樹脂のいずれを用いてもよいが、カタラーゼの活性を長期間維持する点で、弱塩基性陰イオン交換樹脂を用いることが好ましい。
【００３７】
陰イオン交換樹脂としては、イオン交換樹脂骨格がこれを構成する重合体の三次元構造によって構成されるゲル型、イオン交換樹脂骨格が多孔質構造を持つマクロポーラス型及びハイポーラス型のいずれであってもよいが、カタラーゼを安定的に担持する点で、マクロポーラス型又はハイポーラス型を用いることが好ましい。マクロポーラス型及びハイポーラス型のイオン交換樹脂のイオン交換樹脂骨格中には、孔径１００〜１０００オングストローム程度の細孔が無数に存在する。そのため、このイオン交換樹脂骨格に、カタラーゼが単なる表面吸着や、イオン交換反応によって担持されているのみではなく、これら細孔とカタラーゼとが立体的に絡まることで、カタラーゼがより強固に担持されると考えられる。
【００３８】
陰イオン交換樹脂として弱塩基性陰イオン交換樹脂を用いる場合、弱塩基性陰イオン交換樹脂としては、サンプル水の汚染が少なく、カタラーゼを安定的に担持できることから、ポリスチレンをイオン交換樹脂骨格とし、イオン交換基として、１級ないし３級アミノ基を有する弱塩基性イオン交換樹脂が好適に用いられる。なかでも、カタラーゼ活性を維持する点で、３級アミノ基を有する弱塩基性イオン交換樹脂を用いることが特に好ましい。
【００３９】
陰イオン交換樹脂としては市販品を用いることができる。例えば、イオン交換基として、１級アミノ基又は２級アミノ基を有する陰イオン交換樹脂としては、ＶＰＯＣ  １０６５（ランクセス製）、ＷＡ２１Ｊ（三菱化学製）等が使用可能である。また、イオン交換基として３級アミノ基を有する陰イオン交換樹脂としては、モノプラスＭＰ６４（ランクセス製）、マラソンＷＢＡ（ＤＯＷ製）、ＷＡ３０（三菱化学製）、Ａ１００ＦＬ（Ｐｕｒｏｌｉｔｅ製）などが使用可能である。
【００４０】
カタラーゼ担持樹脂に使用されるカタラーゼについて特に制限はなく、カタラーゼ活性（力価）が１０００〜１００００００ｕ／ｍＬ程度であればよく、１００００〜５０００００ｕ／ｍＬのものが好適である。なお、カタラーゼ活性（力価）は、１分間に１μｍｏｌの過酸化水素を分解するカタラーゼ活性を１ｕとして求められる値である。カタラーゼとしては、馬、牛、豚等の、内臓、血液等から得られるもの、細菌から得られるもの等を特に制限なく用いることができる。カタラーゼは１種を単独で用いてもよく、２種以上を併用してもよい。
【００４１】
カタラーゼ担持樹脂装置７に用いられるカタラーゼ担持樹脂は、例えば、上記イオン交換樹脂にカタラーゼを接触させることで製造される。この場合、カタラーゼは、水に溶解させたカタラーゼ水溶液としてイオン交換樹脂に接触させることが好ましい。
【００４２】
カタラーゼ担持樹脂の製造に際してカタラーゼ水溶液をイオン交換樹脂と接触させる場合、カタラーゼを安定的に担持させる点で、接触時間は、１〜４８時間程度であることが好ましい。接触時のカタラーゼ水溶液の温度は、カタラーゼの活性を維持する点で、カタラーゼ活性の至適温度範囲であることが好ましく、例えば１０〜４０℃であることが好ましい。このような条件でカタラーゼを担持させたカタラーゼ担持樹脂は、カタラーゼが安定的に担持されており、また、カタラーゼの活性が維持されるため、ライフが長く、長期間、過酸化水素濃度の測定のために使用可能である。
【００４３】
イオン交換樹脂にカタラーゼを接触させる方法としては特に限定されず、例えば、容器内にイオン交換樹脂を収容し、これにカタラーゼ水溶液を添加して、イオン交換樹脂をカタラーゼ水溶液に浸漬させる方法を採ることができる。また、イオン交換樹脂を収容した容器にカタラーゼ水溶液を通流させてもよい。イオン交換樹脂を収容した容器にカタラーゼ水溶液を通流させる場合、当該容器に循環配管を設けて、この循環配管を介してカタラーゼ水溶液を容器内に循環させることが好ましい。この方法であると、イオン交換樹脂の上下全体に均一にカタラーゼが担持されるという利点がある。この場合の、カタラーゼ水溶液の流速は、カタラーゼ水溶液とイオン交換樹脂の接触時間を上記した好ましい範囲にするために、空間速度（ＳＶ）５〜１００ｈ−１であることが好ましい。
【００４４】
こうして得られるカタラーゼ担持樹脂は、カタラーゼ担持樹脂の単位体積当たりのカタラーゼ活性(力価)が、１００００〜５０００００ｕ／ｍＬであることが好ましい。
【００４５】
溶存酸素計（ＤＯ計）８としては、水中の溶存酸素をオンラインで測定可能な溶存酸素計が好適である。このような溶存酸素計として例えば、隔膜式の溶存酸素計が挙げられる。溶存酸素計８の溶存酸素濃度の定量下限値は、１０μｇ／Ｌ以下が好ましく、１μｇ／Ｌ以下がより好ましい。溶存酸素計８の測定下限値が１０μｇ／Ｌ以下であれば、より精度よく過酸化水素濃度の測定が可能である。
【００４６】
また、過酸化水素測定装置６における過酸化水素濃度測定に際しての通水速度は、カタラーゼ担持樹脂に対する空間速度（ＳＶ）で１〜１００ｈ−１であることが好ましく、５〜３０ｈ−１であることがより好ましい。ＳＶが１００ｈ−１以下であることで、優れた定量性、分析能を得ることができ、短時間での過酸化水素濃度の測定が可能である。
【００４７】
過酸化水素測定装置６に用いるカタラーゼ担持樹脂の量は、過酸化水素測定装置６で測定されるサンプル水の流量等によって適宜決定することができ、例えば、過酸化水素濃度測定に際しての通水速度が上記した好ましい範囲になるようにすればよい。
【００４８】
過酸化水素濃度測定に際してのサンプル水の水温は、温度調節をせずに成り行きで構わないが、温度調節をする場合、水温は、１５〜２５℃であることが好ましく、上記範囲内の所定の温度±２℃の範囲でほぼ一定に保たれることが好ましい。温度調節をする場合、例えば、カタラーゼ担持樹脂装置７の下流側に熱交換器を設け、この熱交換器によって水温の調節を行えばよい。
【００４９】
また、過酸化水素測定装置６における過酸化水素濃度測定に際してのサンプル水のｐＨは、７．０±２であることが好ましい。超純水製造システム１０の循環水は、通常、抵抗率１８ＭΩ・ｃｍ以上、ＴＯＣ濃度１μｇＣ／Ｌ以下、溶存酸素濃度１μｇ／Ｌ以下の超純水であるため、このような場合、過酸化水素測定装置６に供給されるサンプル水のｐＨは、上記した好ましい範囲内に維持されている。したがって、サンプル水のｐＨの調整は行わなくてもよい。
【００５０】
超純水製造システム１０において、紫外線酸化装置２は、超純水の製造に通常用いられるものであればよく、例えば、１８５ｎｍ付近の波長を照射可能な紫外線ランプを備えたものが被処理水中の有機物を分解するのに適している。紫外線ランプとしては、特に限定されないが、低圧水銀ランプが好ましい。また、紫外線酸化装置２としては、流通型または浸漬型が挙げられ、このうち、流通型が処理効率の点から好ましい。
【００５１】
また、紫外線酸化装置２の前段に熱交換器を設けて、被処理水の温度調節を行ってもよい。紫外線酸化装置２の処理水中の溶存酸素濃度が高い場合、カタラーゼ担持樹脂装置７の前段に膜脱気装置を設置して、膜脱気装置により溶存酸素を十分に除去したサンプル水をカタラーゼ担持樹脂装置７に通水してもよい。
【００５２】
混床式イオン交換樹脂装置３としては、特に限定されないが、例えば、二次純水製造システムで一般的に使用される、強酸性陽イオン交換樹脂と強塩基性陰イオン交換樹脂とを混合して容器内に充填したもの（混床式イオン交換樹脂塔）を用いることができる。混床式イオン交換樹脂装置３を用いることで、混床層内のいずれの位置においても水のｐＨの変化がないため、効率のよいイオン交換ができるという利点が得られる。
【００５３】
また、混床式イオン交換樹脂装置３としては、非再生型の混床式イオン交換樹脂装置（カートリッジポリッシャー）又は再生型の混床式イオン交換樹脂装置を特に限定なく選択して使用することができる。混床式イオン交換樹脂装置３は１種を単独で用いても良く、２種以上を組合せて使用してもよい。混床式イオン交換樹脂装置３としては、超純水の汚染を抑制する点から、非再生型の混床式イオン交換樹脂塔の１種を単独で使用することが好ましい。
【００５４】
限外ろ過膜装置４としては、例えばポリスルホン製の中空糸膜モジュールを用いた装置が好適であり、これにより、水中の残存微粒子等を除去する。
【００５５】
また、超純水製造システム１０は、混床式イオン交換樹脂装置３における処理水中の溶存酸素濃度を上昇させないために、混床式イオン交換樹脂装置３の前段に、紫外線酸化装置２の処理水中の過酸化水素を捕捉して除去する過酸化水素除去装置を備えていてもよい。これにより、溶存酸素濃度がより低減された高純度の超純水を得ることができる。過酸化水素除去装置としては、例えば、ＡＮＰ（野村マイクロ・サイエンス株式会社製）、Ｌｅｗａｔｉｔ  Ｋ３４３３（ＬＡＮＸＥＳＳ製）等の過酸化水素除去樹脂が内部に充填された過酸化水素除去樹脂塔が好適である。過酸化水素除去装置は、過酸化水素以外に、超純水中の過酸化物を除去してもよい。
【００５６】
また、超純水製造システム１０において、過酸化水素除去装置の後段に膜脱気装置を設けてもよい。膜脱気装置を用いることで、例えば、ユースポイント５に供給される超純水中の溶存酸素濃度をさらに低減することが可能である。これにより超純水中の溶存酸素濃度は、例えば１μｇ／Ｌ以下、全溶存ガス濃度は１μｇ／Ｌ以下に低減することができる。
【００５７】
超純水製造システム１０を用いた超純水の製造は例えば、次のように行われる。一次純水タンク１１に貯留された一次純水を、超純水製造システム１０に供給して超純水を製造する。製造された超純水をＰＯＵ５に供給し、ＰＯＵ５で使用されなかった超純水は還流配管１２を介して一次純水タンクに返送する。
【００５８】
一次純水は、原水をいわゆる前処理システム及び一次純水システムで処理して得られるものである。原水としては、市水、井水、工業用水等が用いられる。この原水を前処理システムに通水し、ここで原水から懸濁物質及び有機物の一部が除去され、さらに、精密ろ過装置でろ過が行われて、前処理水が製造される。得られた前処理水を一次純水システムに供給する。
【００５９】
また、ユースポイントで回収された使用済みの超純水を処理した回収水を一次純水システムに供給してもよい。この場合、使用済みの超純水は、活性炭装置、逆浸透膜装置などを備える回収処理システムで処理されて、使用済みの超純水から、ユースポイントで使用されたアンモニア、水酸化ナトリウム等のアルカリ性薬剤、硫酸、塩酸、フッ酸等の酸性薬剤、イソプロピルアルコール等の有機性薬剤が除去された後、一次純水システムに供給される。
【００６０】
一次純水システムは、例えば、脱塩装置、逆浸透膜装置、真空脱気装置、紫外線酸化装置、再生型混床式イオン交換樹脂装置により構成される。一次純水システムでは、前処理水又は回収水から、脱塩装置によって不純物イオンが除去され、逆浸透膜装置によって無機イオン、有機物、微粒子等が除去される。さらに、真空脱気装置により溶存酸素等の溶存ガスが除去され、残存する有機物が紫外線酸化装置で分解除去された後、再生型混床式イオン交換樹脂装置によって微量のイオン成分が除去されて一次純水が製造される。一次純水は、一次純水タンク１１に貯留される。なお、一次純水は、原水及び回収水の一方のみを一次純水システムに供給して製造されたものでも良く、両者を混合して製造されたものでもよい。
また、原水又は回収水を、それぞれ別々に一次純水システムで処理して得られた一次純水を混合したものであってもよい。
【００６１】
上記で得られた一次純水を一次純水システム１０に供給して、超純水を製造している状態で、紫外線酸化装置２の処理水をサンプリングし、過酸化水素測定装置６によって、サンプル水中の過酸化水素濃度を測定する。測定された過酸化水素濃度の値に基いて、ＰＯＵ５に供給される超純水、又は最終的に得られる超純水中の過酸化水素濃度をより低減するように、超純水製造システム１０における各水処理装置の処理条件を変更する。
【００６２】
処理条件の変更は例えば次のように行う。測定された過酸化水素濃度の値が、所定の要求値を超えるとき、例えば、ＰＯＵ５における溶存酸素濃度の要求値を満たす値を超えるときに、ＰＯＵ５への超純水の供給を停止して、ＰＯＵ５で使用されない超純水が還流配管１２を介して一次純水タンクに返送されるようにする。返送された一次純水は、再度、超純水製造システム１０で処理されて、上記同様過酸化水素濃度の測定がされた上で、測定値が要求値を満たす場合にＰＯＵ５に供給される。
【００６３】
この場合、過酸化水素測定装置６によれば、オンラインでの短時間での過酸化水素濃度の測定が可能であるため、過酸化水素濃度の高い超純水のＰＯＵ５への供給の停止、過酸化水素濃度の低減された超純水のＰＯＵ５への供給再開をそれぞれ迅速に行うことができる。したがって、溶存酸素濃度の著しく低減された超純水を安定的にＰＯＵ５に供給することができる。この場合、サンプル水は、紫外線酸化装置２の処理水に限られず、超純水製造システム１０の任意の箇所で採水することができる。
【００６４】
また、超純水製造システム１０に、紫外線酸化装置２の紫外線照射量を制御する紫外線照射量制御手段を設置して、過酸化水素測定装置６によって測定された、紫外線酸化装置２の処理水中の過酸化水素濃度の値に基いて、紫外線酸化装置２における処理条件を変更してもよい。この場合、紫外線照射量制御手段が、過酸化水素測定装置６の測定値に基いて紫外線酸化装置２の紫外線照射量を制御する制御信号を出力し、紫外線酸化装置２に入力する。制御信号としては例えば、測定値が大きくなったときに、紫外線酸化装置２の紫外線照射量を減少させ、測定値が小さくなったときに、紫外線照射量を増加させる制御信号を用いる。これにより、紫外線酸化装置２における紫外線照射量を適正に保ち、紫外線酸化装置２での過酸化水素の発生を抑制することができる。紫外線酸化装置２での過酸化水素の発生が抑制されることで、溶存酸素濃度の著しく低減された超純水を安定的にＰＯＵ５に供給することができる。
【００６５】
なお、紫外線酸化装置２の紫外線照射量の増減は、紫外線酸化装置２に複数の紫外線ランプを設置し、点灯する紫外線ランプの数を増減させることや、印加電圧を変化させて紫外線ランプを調光することで行うことができる。
【００６６】
また、上述したように、超純水製造システム１０に過酸化水素除去装置を設ける場合、過酸化水素除去装置内では、過酸化水素除去樹脂が過酸化水素を捕捉することで被処理水中から過酸化水素を除去するため、過酸化水素除去樹脂の寿命は捕捉した過酸化水素の量に依存する。超純水製造システム１０に、過酸化水素除去装置と、さらに、紫外線照射量制御手段を設ければ、過酸化水素の発生が低減されるため、過酸化水素除去樹脂の寿命を飛躍的に延ばすことができ、超純水の製造を低コストで効率的に行なうことができるようになる。
【００６７】
以上、本実施形態の超純水製造システムによれば、定量性、安定性に優れ、測定性能が長期間維持された過酸化水素測定装置を備えており、溶存酸素濃度の著しく低減された超純水を、長期間安定して得ることができる。
【実施例】
【００６８】
次に実施例について説明する。本発明は以下の実施例に限定されるものではない。
【００６９】
（カタラーゼ担持樹脂の製造）
カタラーゼ担持樹脂を次のように製造した。図２は、カタラーゼ担持樹脂の製造方法を説明するための装置を概略的に示したブロック図である。
【００７０】
内径φ２０ｍｍ×高さ１２００ｍｍのカラム４１に、原体樹脂４２として、弱塩基性陰イオン交換樹脂（モノプラスＭＰ６４、ランクセス製）を５０ｍＬ充填し、その後、カタラーゼ水溶液４３（野村マイクロ・サイエンス製  ＨＲ−２００）を約３００ｍＬ充填した。その後、カタラーゼ水溶液４３を、カラム４１に設けられた還流配管４４を介して、ポンプ４５によって下向流、流量５０ｍＬ／ｍｉｎ（ＳＶ＝６０ｈ−１）で、約３日循環させた。
【００７１】
また、図３に示す超純水製造システム２０を用いて、上記で製造したカタラーゼ担持樹脂を用いた過酸化水素濃度計３０の定量性試験、安定性試験及びライフの測定を行った。
【００７２】
超純水製造システム２０は、一次純水を貯留する一次純水タンク（ＴＫ）２１、循環水の温度を２３±１℃に維持するための熱交換器（ＨＥＸ）２２、紫外線酸化装置（ＴＯＣ−ＵＶ）２３、過酸化水素除去装置２４、膜脱気装置（ＭＤＧ）２５、非再生型混床式イオン交換樹脂装置（ＭＢ）２６、限外ろ過膜装置（ＵＦ）２７を接続して構成した。また、超純水製造システム２０には、限外ろ過膜装置２７の処理水を一次純水タンク２１に循環する還流配管２８を設けた。
【００７３】
過酸化水素濃度計３０は、上記で得られたカタラーゼ担持樹脂の５０ｍＬを、内径φ１６ｍｍ×高さ６００ｍｍのカラムに充填し、このカタラーゼ担持樹脂の充填されたカラム(カタラーゼ担持樹脂装置３２)に、溶存酸素計３３（ハック・ウルトラ・アナリティクス・ジャパン製  Ｏｒｂｉｓｐｈｅｒｅ５１０型）を接続して構成した。この過酸化水素濃度計３０を、紫外線酸化装置２３の出水配管に分岐して接続した分岐管３１の経路に配置した。
【００７４】
また、過酸化水素濃度計３０には、紫外線酸化装置２３の処理水を、カタラーゼ担持樹脂装置３２をバイパスして溶存酸素計３３に供給するバイパス配管３４を設けた。分岐管３１の、カタラーゼ担持樹脂装置３２と溶存酸素計３３の間、及びバイパス配管３４の流路にはそれぞれバルブＶ１、Ｖ２を介装した。
【００７５】
超純水製造システム２０において使用した各装置の仕様は次のとおりである。
熱交換器（ＨＥＸ）２２：アルファ・ラバル製  Ｍ６−ＭＦＧ  （伝熱面積０．９８ｍ２）
紫外線酸化装置（ＴＯＣ−ＵＶ）２３：日本フォトサイエンス製  ＪＰＷ２を２台並列に接続したもの
過酸化水素除去装置２４：内径φ３３０ｍｍ×高さ１３００ｍｍの樹脂塔に、ＬＡＮＸＥＳＳ製  Ｌｅｗａｔｉｔ（登録商標）  Ｋ３４３３の３５Ｌを充填したもの
非再生型混床式イオン交換樹脂装置（ＭＢ）２６：内径φ４００ｍｍ×高さ２０００ｍｍの樹脂塔に、ＤＯＷ製  ＭＢＧＰの２００Ｌを充填したもの
限外ろ過膜装置２７：旭化成製  ＯＬＴ−６０３６Ｈ
カタラーゼ担持樹脂装置３２：内径φ１６ｍｍ×高さ６００ｍｍのカラムにカタラーゼ樹脂の５０ｍＬを充填したもの
溶存酸素計３３：ハック・ウルトラ・アナリティクス・ジャパン製  Ｏｒｂｉｓｐｈｅｒｅ５１０型
ヨウ素電極滴定法による過酸化水素濃度計：野村マイクロ・サイエンス製  ＮＯＸＩＡ−ＬＩＩ
【００７６】
一次純水タンク２１から、抵抗率１８ＭΩ・ｃｍ以上、ＴＯＣ濃度１μｇＣ／Ｌ以下、溶存酸素濃度１μｇ／Ｌ以下、過酸化水素濃度３μｇ／Ｌ以下の一次純水（ｐＨ７．０）を、流量１０ｍ３／ｈで熱交換器２２に供給して、熱交換器２２によって水温を２２℃〜２４℃に調節した上で、超純水製造システム２０で処理し、超純水の製造を行った。
【００７７】
（過酸化水素濃度計の定量性試験）
上記で超純水の製造を行いながら、バルブＶ２を閉じ、バルブＶ１を開いて、紫外線酸化装置２３の処理水をサンプリングし、分岐管３１を介して過酸化水素濃度計３０に、流量５０ｍＬ／ｍｉｎ（ＳＶ＝６０ｈ−１）で、通水した。溶存酸素計３３で測定される溶存酸素濃度、カタラーゼ担持樹脂装置３２に供給した超純水中の溶存酸素濃度及び酸素と過酸化水素の分子量を用いた下記式によってサンプル水中の過酸化水素濃度を算出した。カタラーゼ担持樹脂装置３２に供給したサンプル水中の溶存酸素濃度の測定は、バルブＶ１を閉じ、バルブＶ２を開いて、紫外線酸化装置２３の処理水を直接溶存酸素計３３に供給することで、予め行った。
【００７８】
過酸化水素濃度＝（溶存酸素計３３で測定される溶存酸素濃度−カラムに供給した超純水中の溶存酸素濃度）×２×（３４／３２）
【００７９】
一方、過酸化水素濃度計３０に供給されたのと同じ超純水をサンプリングして、サンプル水中の過酸化水素濃度を、上記とは別に、ヨウ素電極滴定法による過酸化水素濃度計（野村マイクロ・サイエンス製  ＮＯＸＩＡ−ＬＩＩ）を用いて測定した。
【００８０】
超純水に紫外線を照射して過酸化水素を発生させ、この紫外線照射量を変化させることで、測定対象の超純水中の過酸化水素濃度を変化させた。過酸化水素濃度を変化させた場合の、過酸化水素濃度計３０により測定された過酸化水素濃度と、ヨウ素電極滴定法による過酸化水素濃度計により測定された過酸化水素濃度の関係を調べた。結果を、過酸化水素濃度計３０により測定された過酸化水素濃度を縦軸、ヨウ素電極滴定法による過酸化水素濃度計で測定された過酸化水素濃度を横軸として、図４のグラフに示す。図４に示されるように、過酸化水素濃度計３０で測定された過酸化水素濃度の値と、ヨウ素電極滴定法で測定された過酸化水素濃度の値とが、直線的に対応しており、過酸化水素濃度計３０が定量性に優れることが分かる。
【００８１】
（過酸化水素濃度計の安定性試験）
超純水製造システム２０の各水処理装置の処理条件を一定に維持した状態で、分岐管３１の接続箇所を、紫外線酸化装置２３の出水配管から過酸化水素除去装置２４の出水配管に変更して、過酸化水素除去装置２４の処理水をサンプリングするようにし、サンプル水中の過酸化水素濃度を、過酸化水素濃度計３０を用いて測定した。測定開始から２０時間後、分岐管３１の接続箇所を、紫外線酸化装置２３の出水配管に変更し、紫外線酸化装置２３の処理水をサンプリングするようにし、同様に、サンプル水中の過酸化水素濃度を過酸化水素濃度計３０を用いて測定した。結果を、測定開始からの経過時間を横軸、過酸化水素濃度計３０の測定値を縦軸として図５に示す。
【００８２】
本試験では、超純水製造システム２０の各水処理装置の処理条件が一定に維持されているため、各水処理装置の処理水の水質を一定に保たれている。したがって、水処理装置の処理水中の過酸化水素濃度も一定に保たれている。図５に示されるように、過酸化水素濃度計３０で測定した過酸化水素除去装置２４の処理水中の過酸化水素濃度、紫外線酸化装置２３の処理水中の過酸化水素濃度のいずれも、ばらつきがなく安定した値が得られている。このことから、過酸化水素濃度計３０によって、超純水中の過酸化水素濃度を安定的に測定可能であることが分かる。
【００８３】
（ライフの測定）
分岐管３１を、紫外線酸化装置２３の出水配管に接続し、紫外線酸化装置２３の処理水をサンプリングし、サンプル水中の過酸化水素濃度を、過酸化水素濃度計３０を用いて測定した。この際、超純水製造システム２０の各水処理装置の処理条件を一定に維持して、紫外線酸化装置２３の処理水中の過酸化水素濃度が２２〜２４μｇ／Ｌの間で、ほぼ一定の値に保たれるようにした。同時に、過酸化水素濃度計３０から排出されるサンプル水中の過酸化水素濃度を、上記同様のヨウ素電極滴定法による過酸化水素濃度計によって測定した。紫外線酸化装置２３の処理水中の過酸化水素濃度、及び過酸化水素濃度計３０から排出されるサンプル水中の過酸化水素濃度の測定を約１年間行い、過酸化水素濃度の測定時間と、ヨウ素電極滴定法による過酸化水素濃度計によって測定された過酸化水素濃度の関係を調べた。その結果を図６に示す。なお、測定期間中のサンプル水のｐＨは７．０±２、温度は２２℃〜２４℃であった。
【００８４】
図６に示されるように、超純水中の過酸化水素濃度の測定を１年間続けた後も、過酸化水素濃度計３０から排出されるサンプル水中の過酸化水素濃度の変化がないことが分かる。これは、過酸化水素濃度計３０に備えられたカタラーゼ担持樹脂の過酸化水素の分解能が１年間低下していないことを示す。このように、カタラーゼ担持樹脂と溶存酸素計を用いて構成した過酸化水素濃度計によれば、１年以上、安定して過酸化水素濃度の測定が可能であることが分かる。
【００８５】
上記定量性試験、安定性試験、ライフの測定から、カタラーゼ担持樹脂と溶存酸素計を用いて構成した過酸化水素濃度計によれば、水中の過酸化水素濃度をオンラインで迅速に行うことができるため、これを超純水製造システムに設置することで、過酸化水素濃度の高度に管理された超純水を製造し、ユースポイントへ供給することが可能である。
【００８６】
具体的には、図３に示す制御装置３６に、溶存酸素計３３の測定値を入力し、この入力された測定値に基いて、制御装置３６によって、紫外線酸化装置（ＴＯＣ−ＵＶ）２３の紫外線照射量を制御することで、過剰照射によって生じる過酸化水素の増加を極力抑制することができる。そのため、過酸化水素除去装置への負担を減らすことができるので、過酸化水素濃度の高度に管理された超純水を長時間連続して製造し、ユースポイントへ供給し続けることが可能である。
【符号の説明】
【００８７】
２…紫外線酸化装置（ＴＯＣ−ＵＶ）、３…混床式イオン交換樹脂装置（ＭＢ）、４…限外ろ過膜装置（ＵＦ）、５…ユースポイント（ＰＯＵ）、６…過酸化水素測定装置、７…カタラーゼ担持樹脂装置、８…溶存酸素計、１０，２０…超純水製造システム、１１，２１…一次純水タンク（ＴＫ）、１２…還流配管、２２…熱交換器、２３…紫外線酸化装置（ＴＯＣ−ＵＶ）、２４…過酸化水素除去装置、２５…膜脱気装置（ＭＤＧ）、２６…非再生型混床式イオン交換樹脂装置（ＭＢ）、２７…限外ろ過膜装置（ＵＦ）、２８…還流配管、３０…過酸化水素濃度計、３１…分岐管、３２…カタラーゼ担持樹脂装置、３３…溶存酸素計、３４…バイパス配管、３６…制御装置、３７…ポンプ、４１…カラム、４２…原体樹脂、４３…カタラーゼ水溶液、４４…還流配管、４５…ポンプ
【図１】
0006591211.tif 000002
【図２】
0006591211.tif 000003
【図３】
0006591211.tif 000004
【図４】
0006591211.tif 000005
【図５】
0006591211.tif 000006
【図６】
0006591211.tif 000007